(57)【要約】【課題】簡易な構成で部品点数を増やすことなく大きさもそのままで複雑な制御を伴わずに予め発射力の調整が行なえる遊技機用発射ハンドルを提供する。【解決手段】ポテンショメータ１６を保持してハンドル本体１１へ位置決めして組み付けられ、操作部材１４の回転基準位置に対する組付け位置を相対的に変更することでポテンショメータ１６による初期検出出力値を変更可能にする検出器ホルダー２１を備えた。【選択図】図８
2009273761.tif 000002
【特許請求の範囲】
【請求項１】
遊技球を発射装置から遊技領域へ発射する際に遊技者に操作される遊技機用発射ハンドルであって、
遊技機の枠体前面に突出して設けられるハンドル本体と、
前記ハンドル本体に対して予め定められた回転基準位置から所定範囲で回転可能に配置された操作部材と、
前記操作部材の回転中心に設けられて当該操作部材の回転基準位置からの回転量を検出する回転量検出手段と、
前記回転量検出手段を保持して前記ハンドル本体へ位置決めして組み付けられ、前記操作部材の回転基準位置に対する組付け位置を相対的に変更することで前記回転量検出手段による初期検出出力値を変更可能にする初期位置変更手段と、
を備えた遊技機用発射ハンドル。
【請求項２】
前記回転量検出手段は、前記操作部材と連れ回る回転軸と、前記回転軸を所定範囲で回転可能に軸支して回転基準位置からの回転量を検出する検出器本体と、を具備し、
前記初期位置変更手段は、前記検出器本体と一体に組み付けられる初期位置変更部材を備え、前記初期位置変更部材とハンドル本体との組付け位置を前記回転軸を中心に正逆いずれかの回転方向へ所定量回転させて相対的に変更することで、前記操作部材の回転基準位置に対する前記検出器本体による初期検出出力値を変更する請求項１記載の遊技機用発射ハンドル。
【請求項３】
請求項１又は請求項２の遊技機用発射ハンドルの操作により遊技球が発射装置から遊技領域へ前記操作部材の回転量に応じた発射力で発射される遊技機。
【発明の詳細な説明】
【技術分野】
【０００１】
本発明は、例えばパチンコ機に用いられる遊技機用発射ハンドル及びこれを備えた遊技機に関する。
【背景技術】
【０００２】
例えば、パチンコ機の枠体前面には球受け皿が設けられており、球受け皿は、遊技球を一時的に貯留し、該貯留した遊技球を発射装置の発射位置へ誘導する。また、枠体には手前側に突出する遊技機用発射ハンドルが設けられている。この発射ハンドルの操作部材を遊技者が回転操作することにより、発射装置を作動させる。発射装置は、球受け皿から発射位置に供給された遊技球を駆動源（モータ、ソレノイド等）により駆動する打球槌により打撃して発射レールを通じて遊技領域に向けて発射する。
【０００３】
発射装置から遊技領域へ向けて発射される遊技球の発射力は、発射ハンドルに設けられた操作部材の回転量によって決定される。即ち、操作部材の回転により回転式可変抵抗器若しくはロータリー型ポテンショメータの抵抗値が変化し、発射装置へ印加する操作電圧が変化するようになっている。これによって、発射装置の駆動源のトルクを調整して打球槌による遊技球の打撃力を変化させ、遊技球の発射力が変化するようになっている。
【０００４】
遊技者が発射ハンドルの操作部材を把持して回転操作する発射動作開始直後は、可変抵抗値が変化して発射装置へ印加する操作電圧が不安定となりやすく、駆動源のトルク不足により発射された遊技球が遊技領域まで届かずにファール球となって発射位置へ逆戻りする。かかる発射動作開始直後のファール球が連続して発生するのを防ぐため、遊技者が発射操作ハンドルを回転操作したときにＯＮになる発射スイッチと遅延回路を組み合わせた発射制御回路が設けられている。遊技者が発射操作ハンドルを回転操作し、発射スイッチがＯＮ（操作開始）になると、かかる入力信号が遅延回路を経て発射制御回路へ入力され、発射制御回路はハンドル操作開始から所定期間経過後可変抵抗器の抵抗値に応じた印加電圧を調整し、駆動回路を通じて例えばＰＷＭ制御により印加するようになっている。
このように、遊技者が発射ハンドルの発射操作開始から所定期間が経過するまで発射装置の発射動作を禁止して、所定期間経過後に発射装置を作動させることで、駆動源のトルク不足によるファール球の発生を防止する技術が提案されている（特許文献１参照）。
【特許文献１】特開２０００−３４２７６０号公報
【発明の開示】
【発明が解決しようとする課題】
【０００５】
しかしながら、上述した特許文献１のパチンコ機に設けられる発射装置においては、発射ハンドルに操作部材の回転を検出する発射スイッチを設ける必要があるため、発射ハンドルの部品点数が多くなり大型化する。また、発射制御回路が設けられる制御基板に、発射スイッチの入力信号に遅延をかける遅延回路を設ける必要があるため、制御基板も大型化し、複雑な制御を要する。
また、操作部材の回転量を検出する可変抵抗器やポテンショメータの個体差やこれを発射ハンドルへの組み付けられたパチンコ機の個体差により、操作部材を同じ回転量だけ回動（正逆いずれの方向へも回転）させたとしても、発射力がばらついてしまうという課題があった。
【０００６】
本発明の目的は、上記従来技術の課題を解決し、簡易な構成で部品点数を増やすことなく大きさもそのままで複雑な制御を伴わずに予め発射力の調整が行なえる遊技機用発射ハンドル及びこれを備えてファール球の発生を抑制し操作性のよい遊技機を提供することにある。
【課題を解決するための手段】
【０００７】
本発明は上記目的を達成するため、次の構成を備えることを特徴とする。
遊技球を発射装置から遊技領域へ発射する際に遊技者に操作される遊技機用発射ハンドルであって、遊技機の枠体前面に突出して設けられるハンドル本体と、前記ハンドル本体に対して予め定められた回転基準位置から所定範囲で回転可能に配置された操作部材と、前記操作部材の回転中心に設けられて当該操作部材の回転基準位置からの回転量を検出する回転量検出手段と、前記回転量検出手段を保持して前記ハンドル本体へ位置決めして組み付けられ、前記操作部材の回転基準位置に対する組付け位置を相対的に変更することで前記回転量検出手段による初期検出出力値を変更可能にする初期位置変更手段と、を備えたことを特徴とする。
【０００８】
また、前記回転量検出手段は、前記操作部材と連れ回る回転軸と、初期位置変更手段と一体に組み付けられ、前記回転軸を所定範囲で回転可能に軸支して回転基準位置からの回転量を検出する検出器本体と、を具備し、前記初期位置変更手段は、前記検出器本体と一体に組み付けられる初期位置変更部材を備え、前記初期位置変更部材とハンドル本体との組付け位置を前記回転軸を中心に正逆いずれかの回転方向へ所定量回転させて相対的に変更することで、前記操作部材の回転基準位置に対する前記検出器本体による初期検出出力値を変更することを特徴とする。
【０００９】
また、遊技機においては、遊技機用発射ハンドルの操作により遊技球が発射装置から遊技領域へ前記操作部材の回転量に応じた発射力で発射されることを特徴とする。
【発明の効果】
【００１０】
上述した遊技機用発射ハンドルを用いれば、初期位置変更手段は、操作部材の回転基準位置に対するハンドル本体への組付け位置を相対的に変更することで回転量検出手段による初期検出出力値（静電容量、可変抵抗値等の変化による出力電圧）を変更する。
これによって、例えば回転量検出手段の個体差や該回転量検出手段のハンドル本体への組み付けの個体差、発射装置の個体差等による遊技球の発射力のばらつきが生じても、製品出荷検査時やホールへの製品導入時に、操作部材の回転基準位置に対応したハンドル本体への相対的な組付け位置を変更するだけで回転量検出手段による初期検出出力値を調整でき、発射ハンドルの部品点数を増やすことなく大きさもそのままで複雑な制御を伴わずに予め発射力の調整が行なえる。
【００１１】
また、検出器本体と一体に組み付けられる初期位置変更部材とハンドル本体との組付け位置を回転軸を中心に正逆いずれかの回転方向へ所定量回転させて相対的に変更することで、操作部材の回転基準位置に対する検出器本体による初期検出出力値を変更できる。これにより、操作部材に連れ回りする回転軸を通じて検出器本体から出力される初期検出出力値（出力電圧）を変更し、この結果発射装置に印加される駆動電圧を大小いずれにもリニアに変化させて発射力の強弱の調整が容易に行なえる。
【００１２】
また、遊技機においては、遊技機用発射ハンドルの操作により遊技球が発射装置から遊技領域へ操作部材の回転量に応じた所定の発射力で発射され、操作開始から遊技球を確実に遊技領域へとばすことができるので、ファール球の発生を抑制し操作性が向上する。
【発明を実施するための最良の形態】
【００１３】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
先ずパチンコ機１の概略構成について説明すると、パチンコ機１の外形をなす外枠２に対してヒンジ５により内枠（図示せず）が開閉可能に取り付けられ、該内枠の前面を覆う上前面枠３、下前面枠４が各々開閉可能に取り付けられている。
内枠には遊技盤６が設けられると共に該遊技盤６の下方には遊技領域へ向かって遊技球を発射する発射装置（図示せず）が組み付けられている。
【００１４】
また、図１において、上前面枠３の下方には貸球や賞球等の遊技球を貯留し、該遊技球を発射装置へ誘導する上球受け皿７が一体に設けられている。また下前面枠４には上球受け皿７から溢れた余剰球を貯留する下球受け皿８、下球受け皿８の左側にタバコの吸殻を収容する灰皿９、下球受け皿８の右側には発射装置を操作する発射ハンドル１０が各々設けられている。発射ハンドル１０の操作により遊技球が発射装置から遊技盤６の遊技領域へ操作量に応じた発射力で発射される。
【００１５】
次に発射ハンドル１０の構成について図２乃至図６を参照して説明する。
図２において、ハンドル本体１１は、パチンコ機１の下前面枠４の前面側に筒状枠体１２が突出して設けられている。この筒状枠体１２にハンドル本体１１が挿入されて下前面枠４の背面側に設けられる固定部材１３とねじ孔どうしを重ね合わせてねじ３０により一体に組み付けられている（図４参照）。
【００１６】
ハンドル本体１１の手前側には、操作部材１４が当該ハンドル本体１１に対して予め定められた回転基準位置から所定範囲で回転可能に軸支されている。操作部材１４は導電性を有しており（例えば樹脂材をめっきコーティングされている）、その外周部には把持したまま回動（正逆いずれの方向へ回転）できるように複数の係止突起１４ａが設けられている。操作部材１４の前面側はカバー１５により覆われている。図３（ａ）において、操作部材１４の回転中心にはポテンショメータ（若しくは可変抵抗器；回転量検出手段）１６が設けられている。ポテンショメータ１６は、操作部材１４の回転基準位置（図５参照）からの回転量を検出する。
【００１７】
図４において、操作部材１４は中央に前後して中心孔１４ｂが開設された前面ボス部１４ｃと背面ボス部１４ｄが各々突設されている。そして、操作部材１４には前面ボス部１４ｃ及び背面ボス部１４ｄを中心とした第１，第２，第３弧状孔１４ｅ，１４ｆ，１４ｇが各々設けられている。また、ハンドル本体１１には第１，第２，第３，第４本体ボス部１１ａ，１１ｂ，１１ｃ，１１ｄが各々突設されている。
上記第１弧状孔１４ｅに第１本体ボス部１１ａが挿通し、第２弧状孔１４ｆに第２、第３本体ボス部１１ｂ、１１ｃが各々挿通し、第３弧状孔１４ｇに第４本体ボス部１１ｄが挿通して、各々操作部材１４の前面側へ突設されている。
【００１８】
図５において、操作部材１４の前面ボス部１４ｃの外周にはねじりコイルばね１７の中心孔が嵌め込まれている。ねじりコイルばね１７の一端１７ａを前面ボス部１４ｃのすり割り１４ｈに係止させ、他端１７ｂを第４本体ボス部１１ｄに係止させることで、操作部１４を常時反時計回り方向（矢印Ａ方向）へ付勢して所定の回転基準位置で停止するようになっている。具体的には、第１本体ボス部１１ａと第１弧状孔１４ｅの孔端部、第２本体ボス部１１ｂと第２弧状孔１４ｆの孔端部、第４本体ボス部１１ｄと第３弧状孔１４ｇの孔端部のうち少なくともいずれかが当接する位置で停止するようになっている（図５ではこれら全てが当接状態にある）。
【００１９】
遊技者は操作部材１４を回転基準位置からねじりコイルばね１７の付勢に抗して時計回り方向（矢印Ｂ方向）へ所定範囲で回転させることができる。具体的には、操作部材１４は、例えば、第１弧状孔１４ｅの反対側孔端部と第１本体ボス部１１ａ、第２弧状孔１４ｆの反対側孔端部と第３本体ボス部１１ｃ、第３弧状孔１４ｇの反対側孔端部と第４本体ボス部１１ｄのうち少なくともいずれかが当接するまで回転させることができる。
【００２０】
図３（ａ）において、ねじりコイルばね１７は前面ボス部１４ｃを内カバー１８のボス部１８ａに嵌め込まれ軸方向に抜け止めされている。内カバー１８は第１本体ボス部１１ａ〜第３本体ボス部１１ｃに対応して設けられた切欠き部１８ｂ（図６参照）を位置合わせしてハンドル本体１１に嵌め込まれる。この内カバー１８の外側をカバー１５によって覆われて、ハンドル本体１１側よりねじ止め固定される（図４参照）。
【００２１】
図３（ａ）において、ポテンショメータ１６（回転量検出手段）は、操作部材１４と連れ回る回転軸１９と、回転軸１９を所定範囲で回転可能に軸支して操作部材１４の回転基準位置からの回転量を検出する検出器本体２０を備えている。ポテンショメータ１６は、回転軸１９が初期位置から所定角度範囲回転し、このとき静電容量（若しくは可変抵抗値）が可変となるため出力電圧がリニアに変化するようになっている。検出器本体２０は、検出器ホルダー（初期位置変更部材）２１と一体に組み付けられ、ハンドル本体１１に対して軸方向及び回転方向に位置決め固定されている。尚、ポテンショメータ１６に替えて可変抵抗器を用いてもよい。
【００２２】
図４において、回転軸１９の先端側には、操作部材１４と一体となって連れ回りするためにＤカット面（図３（ａ）参照）が形成されている。回転軸１９は、操作部材１４の前面ボス部１４ｃ及び背面ボス部１４ｄにわたって連通する中心孔１４ｂに先端側が嵌め込まれて操作部材１４と一体となって連れ回りする。背面ボス部１４ｄと回転軸１９との隙間にはゴムリング２２が嵌め込まれている。また、回転軸１９の後端側は検出器本体２０のボス部２０ａに回転可能に軸支されている。
【００２３】
図４において、検出器本体２０は検出器ホルダー２１に保持された状態でボス部２０ａがハンドル本体１１のボス部１１ｇの中心孔１１ｈに嵌め込まれて検出器本体２０がハンドル本体１１の内壁面に突き当てられている。また、検出器ホルダー２１の背面側よりホルダー押さえ部材２３により若干クリアランスを設けて軸方向に位置決めされた状態で当該ホルダー押さえ部材２３がハンドル本体１１とねじ止めされている。
【００２４】
また、図３（ａ）において、ハンドル本体１１の内壁面には係合部（例えばローレットなどの歯面部）１１ｅが周方向に所定範囲にわたって形成されている。図３（ｂ）において、検出器ホルダー２１には係合部１１ｅに係合して検出器本体２０を周方向に位置決めする突出部２１ａが突設されている。突出部２１ａは係合部１１ｅと係合した状態でハンドル本体１１に穿孔された長孔状のスリット１１ｆを通じて外部からねじ２４によりねじ止め固定されている。
【００２５】
ハンドル本体１１からねじ２４を外して突出部２１ａの固定状態を解除すると、検出器ホルダー２１は回転軸１９を中心に正逆いずれの回転方向にも回転させることができる。このように、突出部２１ａを係合部１１ｅと係合させて、検出器ホルダー２１とハンドル本体１１との組付け位置を回転軸１９を中心に正逆いずれかの回転方向へ所定量回転させて相対的に変更することにより、操作部材１４の回転基準位置に対するポテンショメータ１６による初期検出出力値（静電容量、可変抵抗値等の変化に基づく出力電圧）を変更できる。
【００２６】
この結果、発射装置に印加される駆動電圧を大小いずれにもリニアに変化させて発射力の強弱の調整が容易に行なえる。即ち、遊技者が発射ハンドル１０を操作する遊技開始直後から最適な発射力で遊技球を発射装置から遊技領域へ発射することができ、ファール球の発生を極力抑えることができる。
【００２７】
また、発射ハンドル１０を下前面枠４の筒状枠体１２に嵌め込まれた状態（図２参照）では、ポテンショメータ１６をハンドル本体１１に対して回り止めするねじ２４は遊技者からみて筒状枠体１２内に隠れるため、遊技者によっていたずらにポテンショメータ１６の位置変更されるのを防ぐことができる。
【００２８】
図４において、ポテンショメータ１６の回転軸１９の外周側にはリング状のアースばね２５が嵌め込まれている。アースばね２５は、ハンドル本体１１に固定されるタッチセンサ２６（図６参照）に接続されている。アースばね２５は、それ自身の弾発力により検出器本体２０のボス部２０ａ端面と操作部材１４の背面側ボス部１４ｄとに常時接触している。タッチセンサ２６は、遊技者が操作部材１４に触れたことを検出して、発射制御回路により発射装置を起動可能にするために設けられる。
【００２９】
図６において、ハンドル本体１１にはストップスイッチ２７が止め具２８により組み付けられる。このストップスイッチ２７の近傍には当該スイッチをＯＮ／ＯＦＦさせるストップレバー２９が設けられている（図５参照）。操作部材１４の回転基準位置または遊技中（操作部材１４の回転操作中）に遊技者ストップレバー２９を押すことで、ストップスイッチ２７が強制的にＯＮになり、発射ハンドル１０から発射装置の制御回路に入力される入力信号を遮断して、遊技球の発射を中断できるようになっている。
【００３０】
次に、発射ハンドル１０の組立構成の一例について図６を、発射ハンドル１０のパチンコ機１への組立構成の一例について図７を各々参照して説明する。
図６において、ハンドル本体１１の前面側には、ストップスイッチ２７が止め具２８と共にねじ止めされ、該ストップスイッチ２７をＯＮ／ＯＦＦするストップレバー２９がねじ止めされる。また、ハンドル本体１１の前面側にはタッチセンサ２６がアースバネ２５と共にねじ止めされる。
【００３１】
また、ハンドル本体１１の背面側から、検出器ホルダー２１に検出器本体２０が凹凸嵌合されてポテンショメータ１６がハンドル本体１１内に一体に組み付けられる。即ち、検出器本体２０をハンドル本体１１の内壁面に突き当ててボス部２０ａをボス部１１ｇの中心孔１１ｈに嵌合させ（図４参照）、突出部２１ａを係合部１１ｅと係合させた状態でスリット１１ｆにねじ２４を嵌め込んでポテンショメータ１６を回転方向に固定する。そして、ホルダー押さえ部材２３を検出器ホルダー２１の背面側に突き当てたままハンドル本体１１とねじ止めしてポテンショメータ１６を軸方向に固定する。
【００３２】
また、ハンドル本体１１の前面側に操作部材１４を組み付ける。このとき、ハンドル本体１１のボス部１１ｇの中心孔１１ｈから前面側に突出する回転軸１９にゴムリング２２を介して操作部材１４の中心孔１４ｂに嵌め込み（図４参照）、第１本体ボス部１１ａ〜第４本体ボス部１１を対向する第１〜第３弧状孔１４ｅ，１４ｆ，１４ｇに各々挿通させて操作部材１４がハンドル本体１１に対して組み付けられる（図５参照）。
【００３３】
次に、ねじりコイルばね１７を前面ボス部１４ｃにはめ込んで、一端１７ａをすり割り１４ｈと係止し、他端１７ｂを第４本体ボス部１１ｄに係止して操作部材１４を反時計回り方向へ付勢して回転基準位置へ位置決めして組み付ける。
最後に操作部材１４の上を内カバー１８で覆い、その外側からカバー１５で覆って、ハンドル本体１１にねじ止めされて発射ハンドル１０が組み立てられる。
【００３４】
上述した発射ハンドル１０をパチンコ機１に組み付ける場合には、図７において、ハンドル本体１１から下前面枠４に突設された筒状枠体１２の開口へ挿入する。そして、下前面枠４の背面側からハンドル本体１１に固定部材１３をねじ孔が設けられたボス部どうしを重ね合わせて、ねじ３０によりねじ止め固定される。
【００３５】
図１のパチンコ機１において、上球受け皿７に遊技球を供給すると、発射装置の発射位置へ誘導される。遊技者が、発射ハンドル１０の操作部材１４を回転操作すると遊技球が発射装置から遊技領域へ発射される。このとき、発射力が弱すぎるとファール球が生じ、飛びが強すぎる場合には操作性が悪く、遊技者の不快感を伴う。このため、製品出荷検査時やホールへの製品導入時等に発射ハンドル１０を筒状枠体１２より取り外して、ハンドル本体１１のスリット１１ｆに組み付けられたねじ２４を取り外す（図３（ｂ）参照）。これにより、検出器ホルダー２１とハンドル本体１１との組付け位置を回転軸１９を中心に正逆いずれかの回転方向へ所定量回転させて相対的に変更できる。
【００３６】
例えば遊技球の発射力が弱い場合には図８（ａ）乃至（ｄ）において、検出器ホルダー２１を基準位置（０°位置；操作部材１４が回転基準位置にある状態）から、反時計回り方向へ５°，１０°、１５°というように所定角度回転させて突出部２１ａの端面が係合部１１ｅと係合した状態で、ハンドル本体１１のスリット１１ｆを通じてねじ２４により固定される。
【００３７】
或いは、例えば遊技球の発射力が強い場合には図９（ａ）乃至（ｄ）において、発射力が弱い場合には、検出器ホルダー２１を基準位置（０°位置；操作部材１４が回転基準位置にある状態）から、時計回り方向へ５°，１０°、１５°というように所定角度回転させて突出部２１ａの端面が係合部１１ｅと係合した状態で、ハンドル本体１１のスリット１１ｆを通じてねじ２４により固定される。
尚、上記実施の形態は、ハンドル本体１１に対して検出器ホルダー２１を回動させたが、検出器ホルダー２１に対してハンドル本体１１を回動させてもよい。また、検出器ホルダー２１をハンドル本体１１に対して回動させても、ハンドル本体１１の内壁面とホルダー押さえ部材２３によってポテンショメータ１６の軸方向位置は変わらない。
【００３８】
このように、操作部材１４の回転基準位置に対するポテンショメータ１６による初期検出出力値（静電容量、可変抵抗値等に変化による出力電圧）を変更して、発射装置に印加する駆動電圧をリニア変化させて、遊技球の発射力を製造段階若しくはホール側において予め調整することができる。
したがって、遊技球が発射装置から遊技領域へ操作部材１４の回転量に応じた所定の発射力で発射され、操作開始から遊技球を確実に遊技領域へとばすことができるので、ファール球の発生を抑制し操作性が向上する。
【００３９】
上述した発射ハンドル１０は、パチンコ機１に備えたものについて説明したが、他の遊技機、例えば雀球遊技機やアレンジボール遊技機などに備えてもよい。
【図面の簡単な説明】
【００４０】
【図１】パチンコ機の正面図である。
【図２】パチンコ機に組み付けられた発射ハンドルの斜視図である。
【図３】発射ハンドルの長手方向の縦断面斜視図である。
【図４】発射ハンドルの縦断面図である。
【図５】発射ハンドルからカバー及び内カバーを取り外した正面図である。
【図６】発射ハンドルの分解斜視図である。
【図７】発射ハンドルのパチンコ機への組付け構成を示す分解斜視図である。
【図８】検出器ホルダーとハンドル本体との組付け位置を相対的に変更した状態図である。
【図９】検出器ホルダーとハンドル本体との組付け位置を相対的に変更した状態図である。
【符号の説明】
【００４１】
１  パチンコ機
２  外枠
３  上前面枠
４  下前面枠
５  ヒンジ
６  遊技盤
７  上受け皿
８  下受け皿
９  灰皿
１０  発射ハンドル
１１  ハンドル本体
１１ａ  第１本体ボス部
１１ｂ  第２本体ボス部
１１ｃ  第３本体ボス部
１１ｄ  第４本体ボス部
１１ｅ  係合部
１１ｆ  スリット
１１ｇ，１８ａ，２０ａ  ボス部  
１１ｈ  中心孔
１２  筒状枠体
１３  固定部材  
１４  操作部材  
１４ａ  係止突起  
１４ｂ  中心孔  
１４ｃ  前面ボス部  
１４ｄ  背面ボス部  
１４ｅ  第１弧状孔  
１４ｆ  第２弧状孔  
１４ｇ  第３弧状孔  
１４ｈ  すり割り  
１５  カバー  
１６  ポテンショメータ  
１７  ねじりコイルばね  
１８  内カバー  
１８ｂ  切欠き部
１９  回転軸  
２０  検出器本体  
２１  検出器ホルダー  
２１ａ  突出部  
２２  ゴムリング  
２３  ホルダー押さえ部材  
２４，３０，３１  ねじ  
２５  アースばね
２６  タッチセンサ  
２７  ストップスイッチ  
２８  止め具  
２９  ストップレバー
【図１】
2009273761.tif 000003
【図２】
2009273761.tif 000004
【図３】
2009273761.tif 000005
【図４】
2009273761.tif 000006
【図５】
2009273761.tif 000007
【図６】
2009273761.tif 000008
【図７】
2009273761.tif 000009
【図８】
2009273761.tif 000010
【図９】
2009273761.tif 000011